(57)【要約】【課題】所定の森林域において樹木の伐採を行った際の伐採状況を調査するための伐採状況調査用データを多くの人手と時間を要することなく作成する。【解決手段】伐採前樹冠高画像データ及び伐採後樹冠高画像データを取得するステップＳ１０，Ｓ２０と、伐採前樹冠高画像データと伐採後樹冠高画像データとから一本以上の伐採木の樹冠でなる樹冠領域の樹冠高が表わされている樹冠高差分画像データを作成する樹冠高画像データ差分処理ステップＳ３０と、樹冠高差分画像データに存在するノイズを除去してノイズ除去済みの樹冠高差分画像データを作成するノイズ除去処理ステップＳ４０と、ノイズ除去済みの樹冠高差分画像データに基づいて個々の伐採木の樹冠ごとに区分した伐採木樹冠区分画像データを作成する伐採木樹冠区分処理ステップＳ５０と、伐採木樹冠区分画像データに基づいて伐採木資源情報を取得する伐採木資源情報取得処理ステップＳ６０とを有する。【選択図】図１
2020112887.tif 000002
【特許請求の範囲】
【請求項１】
所定の森林域において樹木の伐採を行った際の伐採状況を調査するためのデータを作成する伐採状況調査用データ作成方法であって、
前記所定の森林域における伐採前の樹冠高画像データを取得する伐採前の樹冠高画像データ取得処理ステップと、
前記所定の森林域における伐採後の樹冠高画像データを取得する伐採後の樹冠高画像データ取得処理ステップと、
前記伐採前の樹冠高画像データと前記伐採後の樹冠高画像データとの差分を取ることによって、一本以上の伐採木の樹冠からなる樹冠領域における樹冠高が表わされている樹冠高差分画像データを作成する樹冠高画像データ差分処理ステップと、
前記樹冠高画像データ差分処理によって作成された前記樹冠高差分画像データに存在するノイズを除去して、ノイズが除去されたノイズ除去済みの樹冠高差分画像データを作成するノイズ除去処理ステップと、
前記ノイズ除去処理によって作成された前記ノイズ除去済みの樹冠高差分画像データに基づいて、前記一本以上の伐採木の樹冠からなる樹冠領域を個々の伐採木の樹冠ごとに区分した伐採木樹冠区分画像データを作成する伐採木樹冠区分処理ステップと、
前記伐採木樹冠区分処理によって作成された前記伐採木樹冠区分画像データに基づいて、前記個々の伐採木に関する資源情報を取得する伐採木資源情報取得処理ステップと、
を有することを特徴とする伐採状況調査用データ作成方法。
【請求項２】
請求項１に記載の伐採状況調査用データ作成方法において、
前記ノイズ除去処理ステップには、
前記樹冠高画像データ差分処理ステップによって作成された樹冠高差分画像データから、最大樹冠高を抽出する最大樹冠高抽出処理ステップと、
前記伐採木の樹冠候補とするための樹冠高の閾値を前記最大樹冠高に基づいて設定し、当該閾値を第１閾値とし、前記樹冠高差分画像データにおいて当該第１閾値以上の樹冠高を有する領域を伐採木樹冠候補領域として抽出して、「伐採木樹冠候補領域抽出済みの樹冠高差分画像データ」を作成する伐採木樹冠候補領域抽出処理ステップと、
前記伐採木樹冠候補領域の面積に閾値を設定して、当該設定した閾値を第２閾値とし、前記伐採木樹冠候補領域の面積が前記第２閾値未満となっている小面積の伐採木樹冠候補領域を前記「伐採木樹冠候補領域抽出済みの樹冠高差分画像データ」から除去して、「小面積伐採木樹冠候補領域除去済みの樹冠高差分画像データ」を作成する小面積伐採木樹冠候補領域除去処理ステップと、
前記伐採木樹冠候補領域における長手方向長さを当該伐採木樹冠候補領域における短手方向長さで徐算して得られた値に閾値を設定して、当該設定した閾値を第３閾値とし、前記伐採木樹冠候補領域が前記第３閾値以上の細長い伐採木樹冠候補領域を前記「小面積伐採木樹冠候補領域除去済みの樹冠高差分画像データ」から除去して、「細長伐採木樹冠候補領域除去済みの樹冠高差分画像データ」を作成する細長樹冠候補領域除去処理ステップと、
前記伐採木樹冠候補領域の内側に存在する伐採木候補領域内ノイズを前記「細長伐採木樹冠候補領域除去済みの樹冠高差分画像データ」から除去して、「伐採木樹冠候補領域内ノイズ除去済みの樹冠高差分画像データを」作成する伐採木樹冠候補領域内ノイズ除去処理ステップと、
が含まれていることを特徴とする伐採状況調査用データ作成方法。
【請求項３】
請求項１又は２に記載の伐採状況調査用データ作成方法において、
前記伐採木資源情報取得処理ステップには、前記伐採木樹冠区分処理ステップによって作成された前記伐採木樹冠区分画像データに基づいて、少なくとも、個々の伐採木の位置情報、個々の伐採木の樹冠面積及び／又は樹冠直径、個々の伐採木の樹高、個々の伐採木の胸高直径並びに個々の伐採木の材積を取得する処理が含まれていることを特徴とする伐採状況調査用データ作成方法。
【請求項４】
請求項３に記載の伐採状況調査用データ作成方法において、
前記伐採木資源情報取得処理ステップが取得した前記個々の伐採木に関する資源情報に基づいて伐採木資源量の集計処理を行う伐採木資源量の集計処理ステップをさらに有することを特徴とする伐採状況調査用データ作成方法。
【請求項５】
請求項４に記載の伐採状況調査用データ作成方法において、
前記伐採木資源量の集計処理ステップには、前記伐採木の本数、前記伐採木の平均胸高直径、前記伐採木の平均樹高及び前記伐採木の合計材積を集計するとともに、前記本数による伐採率及び前記材積による伐採率を算定する処理が含まれていることを特徴とする伐採状況調査用データ作成方法。
【請求項６】
請求項３〜５のいずれかに記載の伐採状況調査用データ作成方法において、
前記個々の伐採木の樹冠面積及び／又は樹冠直径は、当該個々の伐採木の樹冠の領域の画素数に基づいて求められており、
前記個々の伐採木の樹高は、前記伐採木樹冠区分処理により区分された個々の伐採木の樹冠に対応する樹冠高画像データの最大値が当該伐採木の樹高として求められており、
前記個々の伐採木の胸高直径は、個々の伐採木の樹冠面積又は樹冠直径と個々の伐採木の樹高とから重回帰式で求められおり、
前記個々の伐採木の材積は、個々の伐採木の胸高直径と個々の伐採木の樹高とに基づいて求められている、
ことを特徴とする伐採状況調査用データ作成方法。
【請求項７】
請求項１〜６のいずれかに記載の伐採状況調査用データ作成方法において、
前記伐採前の樹冠高画像データ取得処理ステップが取得する前記伐採前の樹冠高画像データは、
伐採前の前記所定の森林域に対応する３次元点群データと当該所定の森林域に対応する地理的情報とに基づいて作成されている伐採前の所定の森林域画像データに基づいて、メッシュ化されたデジタル表層モデルデータとデジタル標高モデルデータとを作成し、当該メッシュごとに前記デジタル表層モデルデータと前記デジタル標高モデルデータとの差分を取ることによって作成されており、
前記伐採後の樹冠高画像データ取得処理ステップが取得する前記伐採後の樹冠高画像データは、
伐採後の前記所定の森林域に対応する３次元点群データと当該所定の森林域に対応する地理的情報とに基づいて作成されている伐採後の所定の森林域画像データに基づいて、メッシュ化されたデジタル表層モデルデータとデジタル標高モデルデータとを作成し、当該メッシュごとに前記デジタル表層モデルデータと前記デジタル標高モデルデータとの差分を取ることによって作成されている、
ことを特徴とする伐採状況調査用データ作成方法。
【請求項８】
請求項１〜７のいずれかに記載の伐採状況調査用データ作成方法において、
前記伐採木樹冠区分処理は、インディヴィジュアル・ツリー・ディテクション法（Individual tree detection method）を用いて、前記伐採木の樹冠領域を個々の伐採木の樹冠ごとに区分した伐採木樹冠区分画像データを作成することを特徴とする伐採状況調査用データ作成方法。
【請求項９】
所定の森林域において樹木の伐採を行った際の伐採状況を調査するためのデータを作成する伐採状況調査用データ作成装置であって、
前記所定の森林域における伐採前の樹冠高画像データを取得する伐採前の樹冠高画像データ取得処理部と、
前記所定の森林域における伐採後の樹冠高画像データを取得する伐採後の樹冠高画像データ取得処理部と、
前記伐採前の樹冠高画像データと前記伐採後の樹冠高画像データとの差分を取ることによって、一本以上の伐採木の樹冠からなる樹冠領域における樹冠高が表わされている樹冠高差分画像データを作成する樹冠高画像データ差分処理部と、
前記樹冠高画像データ差分処理によって作成された前記樹冠高差分画像データに存在するノイズを除去して、ノイズが除去されたノイズ除去済みの樹冠高差分画像データを作成するノイズ除去処理部と、
前記ノイズ除去処理によって作成された前記ノイズ除去済みの樹冠高差分画像データに基づいて、前記一本以上の伐採木の樹冠からなる樹冠領域を個々の伐採木の樹冠ごとに区分した伐採木樹冠区分画像データを作成する伐採木樹冠区分処理部と、
前記伐採木樹冠区分処理によって作成された前記伐採木樹冠区分画像データに基づいて、前記個々の伐採木に関する資源情報を取得する伐採木資源情報取得処理部と、
を有することを特徴とする伐採状況調査用データ作成装置。
【請求項１０】
請求項９に記載の伐採状況調査用データ作成装置において、
前記ノイズ除去処理部には、
前記樹冠高画像データ差分処理部によって作成された樹冠高差分画像データから、最大樹冠高を抽出する最大樹冠高抽出処理部と、
前記伐採木の樹冠候補とするための樹冠高の閾値を前記最大樹冠高に基づいて設定し、当該閾値を第１閾値とし、前記樹冠高差分画像データにおいて当該第１閾値以上の樹冠高を有する領域を伐採木樹冠候補領域として抽出して、「伐採木樹冠候補領域抽出済みの樹冠高差分画像データ」を作成する伐採木樹冠候補領域抽出処理部と、
前記伐採木樹冠候補領域の面積に閾値を設定して、当該設定した閾値を第２閾値とし、前記伐採木樹冠候補領域の面積が前記第２閾値未満となっている小面積の伐採木樹冠候補領域を前記「伐採木樹冠候補領域抽出済みの樹冠高差分画像データ」から除去して、「小面積伐採木樹冠候補領域除去済みの樹冠高差分画像データ」を作成する小面積伐採木樹冠候補領域除去処理部と、
前記伐採木樹冠候補領域における長手方向長さを当該伐採木樹冠候補領域における短手方向長さで徐算して得られた値に閾値を設定して、当該設定した閾値を第３閾値とし、前記伐採木樹冠候補領域が前記第３閾値以上の細長い伐採木樹冠候補領域を前記「小面積伐採木樹冠候補領域除去済みの樹冠高差分画像データ」から除去して、「細長伐採木樹冠候補領域除去済みの樹冠高差分画像データ」を作成する細長樹冠候補領域除去処理部と、
前記伐採木樹冠候補領域の内側に存在する伐採木候補領域内ノイズを前記「細長伐採木樹冠候補領域除去済みの樹冠高差分画像データ」から除去して、「伐採木樹冠候補領域内ノイズ除去済みの樹冠高差分画像データを」作成する伐採木樹冠候補領域内ノイズ除去処理部と、
が含まれていることを特徴とする伐採状況調査用データ作成装置。
【請求項１１】
請求項９又は１０に記載の伐採状況調査用データ作成装置において、
前記伐採木資源情報取得処理部は、前記伐採木樹冠区分処理部によって作成された前記伐採木樹冠区分画像データに基づいて、少なくとも、個々の伐採木の位置情報、個々の伐採木の樹冠面積及び／又は樹冠直径、個々の伐採木の樹高、個々の伐採木の胸高直径並びに個々の伐採木の材積を取得する処理を行うことを特徴とする伐採状況調査用データ作成装置。
【請求項１２】
請求項１１に記載の伐採状況調査用データ作成装置において、
前記伐採木資源情報取得処理部が取得した前記個々の伐採木に関する資源情報に基づいて伐採木資源量の集計処理を行う伐採木資源量の集計処理部をさらに有することを特徴とする伐採状況調査用データ作成装置。
【請求項１３】
請求項１２に記載の伐採状況調査用データ作成装置において、
前記伐採木資源量の集計処理部は、前記伐採木の本数、前記伐採木の平均胸高直径、前記伐採木の平均樹高及び前記伐採木の合計材積を集計するとともに、前記本数による伐採率及び前記材積による伐採率を算定する処理を行うことを特徴とする伐採状況調査用データ作成装置。
【発明の詳細な説明】
【技術分野】
【０００１】
本発明は、所定の森林域において樹木の伐採を行った際の伐採状況調査用データの作成を行う伐採状況調査用データ作成方法及び伐採状況調査用データ作成装置に関する。
【背景技術】
【０００２】
森林における樹木の伐採は、林業収入に影響する重要な作業であるが、木材価格が低迷していることや、自力伐採できない森林所有者が大部分であることから、都道府県や市町村からの補助金を伐採費用として使用して、森林所有者や木材生産者が赤字にならないようにすることが行われている。一方、都道府県や市町村の森林管理者及び伐採作業を行った木材生産者は、補助金の適正執行といった観点から、伐採終了後に計画通りの伐採がなされたかの調査（伐採状況調査）を実施する必要があるが、当該伐採状況調査は、人手によって実施しているのが現状である。
【０００３】
このような伐採状況調査は、伐採が終了した年度末の冬期に集中することから、寒冷地では積雪のもとで伐採調査が行われることも多い。このため、発注者、林業事業体及び調査員は、除雪など伐採状況調査のための準備を行った上で、現地において伐採状況調査を行った上で伐採状況調査資料の作成を行うなど、精神的な負担と多大な労力を要している。
【０００４】
また、伐採状況調査資料を作成するには、伐採が調査対象域において集中や偏りがなく全域に渡って満遍なく行われているかを現地において調査したり、伐採された樹木（伐採木ともいう。）の本数、平均胸高、平均樹高、材積など伐採木に関する資源情報を算定したりする必要がある。このため、伐採状況調査資料の作成には、多くの人手と時間を要するとともに、豊富な知識と経験も必要となる。
【０００５】
近年、上空から所定の森林域（調査対象森林域ともいう。）を含む地域にレーザー光を照射して得られたレーザー計測データに基づいて、調査対象森林域に関する森林資源情報を作成する技術が提案されている（例えば、特許文献１参照。）。
【０００６】
特許文献１に記載されている森林資源情報算定方法は、三次元のレーザー点群データから、各樹木の樹冠直径、胸高直径、樹高、胸高直径と樹高とから得られる材積などの森林資源情報を高精度に算定可能とする森林資源情報算定方法である。
【先行技術文献】
【特許文献】
【０００７】
【特許文献１】特開２０１８―８４４７２号公報
【発明の概要】
【発明が解決しようとする課題】
【０００８】
特許文献１に記載されている森林資源算定方法は、上述したように、各樹木の樹冠直径、胸高直径及び各樹木の樹高、これら樹高と胸高直径とから得られる材積などの森林資源情報を高精度に算定可能とするものである。
【０００９】
しかしながら、特許文献１に記載されている森林資源算定方法においては、所定の森林域において伐採を行った際の伐採状況を調査するためのデータ（伐採状況調査用データ）を作成することはできない。なお、伐採状況調査用データには、伐採が集中や偏りがなく全域に渡って満遍なく行われているかを表すデータや、伐採木についての資源情報（伐採木の本数、平均胸高、平均樹高、材積など）などが含まれている。
【００１０】
そこで本発明は、上記課題を解決するためになされたものであり、所定の森林域において樹木の伐採を行った際の伐採状況を調査するための伐採状況調査用データを、多くの人手と時間を要することなく作成することができる伐採状況調査用データ作成方法及び伐採状況調査用データ作成装置を提供することを目的とする。
【課題を解決するための手段】
【００１１】
［１］本発明の伐採状況調査用データ作成方法は、所定の森林域において樹木の伐採を行った際の伐採状況を調査するためのデータを作成する伐採状況調査用データ作成方法であって、前記所定の森林域における伐採前の樹冠高画像データを取得する伐採前の樹冠高画像データ取得処理ステップと、前記所定の森林域における伐採後の樹冠高画像データを取得する伐採後の樹冠高画像データ取得処理ステップと、前記伐採前の樹冠高画像データと前記伐採後の樹冠高画像データとの差分を取ることによって、一本以上の伐採木の樹冠からなる樹冠領域における樹冠高が表わされている樹冠高差分画像データを作成する樹冠高画像データ差分処理ステップと、前記樹冠高画像データ差分処理によって作成された前記樹冠高差分画像データに存在するノイズを除去して、ノイズが除去されたノイズ除去済みの樹冠高差分画像データを作成するノイズ除去処理ステップと、前記ノイズ除去処理によって作成された前記ノイズ除去済みの樹冠高差分画像データに基づいて、前記一本以上の伐採木の樹冠からなる樹冠領域を個々の伐採木の樹冠ごとに区分した伐採木樹冠区分画像データを作成する伐採木樹冠区分処理ステップと、前記伐採木樹冠区分処理によって作成された前記伐採木樹冠区分画像データに基づいて、前記個々の伐採木に関する資源情報を取得する伐採木資源情報取得処理ステップと、を有することを特徴とする。
【００１２】
本発明の伐採状況調査用データ作成方法は、所定の森林域における伐採前の樹冠高画像データと、当該所定の森林域における伐採後の樹冠高画像データとの差分を取ることによって作成された樹冠高差分画像データに存在するノイズを除去して、ノイズが除去されたノイズ除去済みの樹冠高差分画像データを作成している。そして、当該ノイズ除去済みの樹冠高差分画像データに基づいて、一本以上の伐採木の樹冠からなる樹冠領域を個々の伐採木の樹冠ごとに区分した伐採木樹冠区分画像データを作成して、当該伐採木樹冠区分画像データに基づいて、個々の伐採木に関する資源情報を取得するようにしている。
【００１３】
このため、本発明の伐採状況調査用データ作成方法によれば、所定の森林域において樹木の伐採を行った際の伐採状況を調査するための伐採状況調査用データを、多くの人手と時間を要することなく作成することができる。なお、前述したように、伐採状況調査用データには、伐採が集中や偏りがなく全域に渡って満遍なく行われているかを表すデータや、伐採された樹木（伐採木）についての資源情報（伐採木の本数、平均胸高、平均樹高及び材積など）などが含まれている。
【００１４】
また、本発明の伐採状況調査用データ作成方法によれば、樹冠高画像データ差分処理によって作成された樹冠高差分画像データに存在するノイズを除去するノイズ除去処理ステップを有することによって、樹冠高画像データ差分処理によって作成された樹冠高差分画像データは、ノイズ除去済みの樹冠高差分画像データとなり、当該ノイズ除去済みの樹冠高差分画像データを用いて、一本以上の伐採木の樹冠からなる樹冠領域を個々の伐採木の樹冠ごとに区分した伐採木樹冠区分画像データを作成している。このため、当該伐採木樹冠区分画像データは、個々の伐採木の樹冠領域が高精度に再現されたものとなる。従って、個々の伐採木の樹冠領域が高精度に再現された伐採木樹冠区分画像データに基づいて、個々の伐採木に関する資源情報を取得することにより、取得された伐採木に関する資源情報は個々の伐採木の資源を高精度に表すものとなる。
【００１５】
［２］本発明の伐採状況調査用データ作成方法においては、前記ノイズ除去処理ステップには、前記樹冠高画像データ差分処理ステップによって作成された樹冠高差分画像データから、最大樹冠高を抽出する最大樹冠高抽出処理ステップと、前記伐採木の樹冠候補とするための樹冠高の閾値を前記最大樹冠高に基づいて設定し、当該閾値を第１閾値とし、前記樹冠高差分画像データにおいて当該第１閾値以上の樹冠高を有する領域を伐採木樹冠候補領域として抽出して、「伐採木樹冠候補領域抽出済みの樹冠高差分画像データ」を作成する伐採木樹冠候補領域抽出処理ステップと、前記伐採木樹冠候補領域の面積に閾値を設定して、当該設定した閾値を第２閾値とし、前記伐採木樹冠候補領域の面積が前記第２閾値未満となっている小面積の伐採木樹冠候補領域を前記「伐採木樹冠候補領域抽出済みの樹冠高差分画像データ」から除去して、「小面積伐採木樹冠候補領域除去済みの樹冠高差分画像データ」を作成する小面積伐採木樹冠候補領域除去処理ステップと、前記伐採木樹冠候補領域における長手方向長さを当該伐採木樹冠候補領域における短手方向長さで徐算して得られた値に閾値を設定して、当該設定した閾値を第３閾値とし、前記伐採木樹冠候補領域が前記第３閾値以上の細長い伐採木樹冠候補領域を前記「小面積伐採木樹冠候補領域除去済みの樹冠高差分画像データ」から除去して、「細長伐採木樹冠候補領域除去済みの樹冠高差分画像データ」を作成する細長樹冠候補領域除去処理ステップと、前記伐採木樹冠候補領域の内側に存在する伐採木候補領域内ノイズを前記「細長伐採木樹冠候補領域除去済みの樹冠高差分画像データ」から除去して、「伐採木樹冠候補領域内ノイズ除去済みの樹冠高差分画像データを」作成する伐採木樹冠候補領域内ノイズ除去処理ステップと、が含まれていること
が好ましい。
【００１６】
ノイズ除去処理ステップが、最大樹冠高抽出処理ステップ、伐採木樹冠候補領域抽出処理ステップ、小面積伐採木樹冠候補領域除去処理ステップ、細長伐採木樹冠候補領域除去処理ステップ及び伐採木樹冠候補領域内ノイズ除去処理ステップを順次行うことによって、樹冠高画像データ差分処理によって作成された樹冠高差分画像データに存在する種々のノイズを確実に除去することができる。
【００１７】
ここで、第１閾値は例えば次のようにして設定することができる。すなわち、伐採対象となる樹木を樹高の高い順から上層木、中層木及び下層木としたとき、これら上層木、中層木及び下層木の樹木の樹冠の上下方向の高さ（樹冠の下端部から樹冠の頂点までの高さ）がそれぞれ樹高のおよそ１／２であること、中層木及び下層木は、上層木の最大樹冠高（ｍａｘＨ）のおよそ１／２の樹冠高であることがそれぞれ経験値として得られていることから、上層木に加えて中層木及び下層木も伐採木に含まれるような閾値を第１閾値として設定する。例えば、第１閾値として、最大樹冠高値（ｍａｘＨ）の１／５を設定し、最大樹冠高（ｍａｘＨ）の１／５以上の樹冠高を有する樹冠高画像データを樹冠高差分画像データから抽出して「伐採木樹冠候補領域抽出済みの樹冠高差分画像データ」とする。これにより、最大樹冠高値（ｍａｘＨ）の１／５未満の薮などの下層植生などはノイズとして除去されることとなる。
【００１８】
また、第２閾値は例えば次のようにして設定することができる。すなわち、伐採対象となる下層木の樹冠面積がおよそ１０ｍ２であることが経験値として得られていることから、それよりも小面積（例えば、８ｍ２とする。）を第２閾値として設定する。そして、「伐採木樹冠候補領域抽出済みの樹冠高差分画像データ」から、当該第２閾値未満の面積を有する小面積伐採木樹冠候補領域を除去する。これにより、下層木よりも小面積（例えば、８ｍ２とする。）未満の伐採木樹冠候補領域はノイズとして除去できる。
【００１９】
また、第３閾値は例えば次のようにして設定することができる。すなわち、伐採対象となる樹木における樹冠を平面視したときの長手方向の長さ（Ｌｍａｘとする。）を短手方向の長さ（Ｌｍｉｎとする。）で徐算して得られた値の大きさは、４以上にはならないということが経験値として得られていることから、「４」を第３閾値として設定する。例えば、第3閾値をｎとしたとき、「ｎ＝４」を設定し、伐採木樹冠候補領域が第３閾値（ｎ＝４）以上の細長い伐採木樹冠候補領域を「小面積伐採木樹冠候補領域除去済みの樹冠高差分画像データ」から除去する。これにより、極端に細長い伐採木樹冠候補領域はノイズとして除去できる。
【００２０】
［３］本発明の伐採状況調査用データ作成方法においては、前記伐採木資源情報取得処理ステップには、前記伐採木樹冠区分処理ステップによって作成された前記伐採木樹冠区分画像データに基づいて、少なくとも、個々の伐採木の位置情報、個々の伐採木の樹冠面積及び／又は樹冠直径、個々の伐採木の樹高、個々の伐採木の胸高直径並びに個々の伐採木の材積を取得する処理が含まれていることが好ましい。
【００２１】
このような伐採木資源情報を取得することにより、伐採対象となる所定の森林域において樹木の伐採を行った際の伐採状況を調査するための資料を容易に作成することができる。また、当該伐採木資源情報を一覧表としてディスプレイ上に表示させることによって、所定の森林域の伐採木の詳細な資源情報を視覚的に把握することができる。
【００２２】
［４］本発明の伐採状況調査用データ作成方法においては、前記伐採木資源情報取得処理ステップが取得した前記個々の伐採木に関する資源情報に基づいて伐採木資源量の集計処理を行う伐採木資源量の集計処理ステップをさらに有することが好ましい。
【００２３】
このような伐採木資源量の集計処理を行うことによって、伐採木資源量の集計表を作成することができ、当該伐採木資源量の集計表を基にして、所定の森林域において樹木の伐採を行った際の伐採状況を調査するための資料を容易に作成することができる。また、当該伐採木資源情報を一覧表としてディスプレイ上に表示させることによって、伐採状況の概要を視覚的に把握することができる。
【００２４】
［５］本発明の伐採状況調査用データ作成方法においては、前記伐採木資源量の集計処理ステップには、前記伐採木の本数、前記伐採木の平均胸高直径、前記伐採木の平均樹高及び前記伐採木の合計材積を集計するとともに、前記本数による伐採率及び前記材積による伐採率を算定する処理が含まれていることが好ましい。
【００２５】
これにより、所定の森林域で実施された伐採の状況を容易に把握することができる。また、このような伐採木資源量の集計表を基にすることで、伐採調査業務での補助金支出の算定根拠となる本数伐採率及び材積伐採率が所定の伐採率となっているか否かを容易に判定できる。
【００２６】
［６］本発明の伐採状況調査用データ作成方法においては、前記個々の伐採木の樹冠面積及び／又は樹冠直径は、当該個々の伐採木の樹冠の領域の画素数に基づいて求められており、前記個々の伐採木の樹高は、前記伐採木樹冠区分処理により区分された個々の伐採木の樹冠に対応する樹冠高画像データの最大値が当該伐採木の樹高として求められており、前記個々の伐採木の胸高直径は、個々の伐採木の樹冠面積又は樹冠直径と個々の伐採木の樹高とから重回帰式で求められおり、前記個々の伐採木の材積は、個々の伐採木の胸高直径と個々の伐採木の樹高とに基づいて求められている、ことが好ましい。
【００２７】
これにより、伐採された後においても伐採された樹木（伐採木）の樹冠面積及び／又は樹冠直径、樹高、胸高直径及び材積を求めることができる。
【００２８】
［７］本発明の伐採状況調査用データ作成方法においては、前記伐採前の樹冠高画像データ取得処理ステップが取得する前記伐採前の樹冠高画像データは、伐採前の前記所定の森林域に対応する３次元点群データと当該所定の森林域に対応する地理的情報とに基づいて作成されている伐採前の所定の森林域画像データに基づいて、メッシュ化されたデジタル表層モデルデータとデジタル標高モデルデータとを作成し、当該メッシュごとに前記デジタル表層モデルデータと前記デジタル標高モデルデータとの差分を取ることによって作成されており、前記伐採後の樹冠高画像データ取得処理ステップが取得する前記伐採後の樹冠高画像データは、伐採後の前記所定の森林域に対応する３次元点群データと当該所定の森林域に対応する地理的情報とに基づいて作成されている伐採後の所定の森林域画像データに基づいて、メッシュ化されたデジタル表層モデルデータとデジタル標高モデルデータとを作成し、当該メッシュごとに前記デジタル表層モデルデータと前記デジタル標高モデルデータとの差分を取ることによって作成されている、ことが好ましい。
【００２９】
これにより、伐採前の樹冠高画像データ及び伐採後の樹冠高画像データをメッシュごとに高精度に作成することができる。なお、この場合、デジタル表層モデルデータというのは、樹木などの表層の標高を表すデータを指し、デジタル標高モデルデータというのは、地表の標高を表すデータを指している。従って、デジタル表層モデルデータと前記デジタル標高モデルデータとの差分を取ることによって樹冠高（地表からの樹冠の高さ）をメッシュごとに求めることができる。
【００３０】
［８］本発明の伐採状況調査用データ作成方法においては、前記伐採木樹冠区分処理は、インディヴィジュアル・ツリー・ディテクション法（Individual tree detection method）を用いて、前記伐採木の樹冠領域を個々の伐採木の樹冠ごとに区分した伐採木樹冠区分画像データを作成することが好ましい。
【００３１】
当該インディヴィジュアル・ツリー・ディテクション法は、樹冠の縁部の樹冠高が樹冠の頂点の樹冠高よりも低いことを利用して伐採木樹冠区分処理を行うものであり、このような伐採木樹冠区分処理方法を用いることにより、伐採木の個々の樹木に対応した樹冠を高精度に抽出できる。
【００３２】
［９］本発明の伐採状況調査用データ作成装置は、所定の森林域において樹木の伐採を行った際の伐採状況を調査するためのデータを作成する伐採状況調査用データ作成装置であって、前記所定の森林域における伐採前の樹冠高画像データを取得する伐採前の樹冠高画像データ取得処理部と、前記所定の森林域における伐採後の樹冠高画像データを取得する伐採後の樹冠高画像データ取得処理部と、前記伐採前の樹冠高画像データと前記伐採後の樹冠高画像データとの差分を取ることによって、一本以上の伐採木の樹冠からなる樹冠領域における樹冠高が表わされている樹冠高差分画像データを作成する樹冠高画像データ差分処理部と、前記樹冠高画像データ差分処理によって作成された前記樹冠高差分画像データに存在するノイズを除去して、ノイズが除去されたノイズ除去済みの樹冠高差分画像データを作成するノイズ除去処理部と、前記ノイズ除去処理によって作成された前記ノイズ除去済みの樹冠高差分画像データに基づいて、前記一本以上の伐採木の樹冠からなる樹冠領域を個々の伐採木の樹冠ごとに区分した伐採木樹冠区分画像データを作成する伐採木樹冠区分処理部と、前記伐採木樹冠区分処理によって作成された前記伐採木樹冠区分画像データに基づいて、前記個々の伐採木に関する資源情報を取得する伐採木資源情報取得処理部と、を有することを特徴とする。
【００３３】
本発明の伐採状況調査用データ作成装置は、上述の［１］に記載の伐採状況調査用データ作成方法の各処理ステップを行うための装置であり、本発明の伐採状況調査用データ作成装置がこのような構成を有することによって、上述の［１］に記載の伐採状況調査用データ作成方法と同様の効果が得られる。
【００３４】
［１０］本発明の伐採状況調査用データ作成装置においては、前記ノイズ除去処理部には、前記樹冠高画像データ差分処理部によって作成された樹冠高差分画像データから、最大樹冠高を抽出する最大樹冠高抽出処理部と、前記伐採木の樹冠候補とするための樹冠高の閾値を前記最大樹冠高に基づいて設定し、当該閾値を第１閾値とし、前記樹冠高差分画像データにおいて当該第１閾値以上の樹冠高を有する領域を伐採木樹冠候補領域として抽出して、「伐採木樹冠候補領域抽出済みの樹冠高差分画像データ」を作成する伐採木樹冠候補領域抽出処理部と、前記伐採木樹冠候補領域の面積に閾値を設定して、当該設定した閾値を第２閾値とし、前記伐採木樹冠候補領域の面積が前記第２閾値未満となっている小面積の伐採木樹冠候補領域を前記「伐採木樹冠候補領域抽出済みの樹冠高差分画像データ」から除去して、「小面積伐採木樹冠候補領域除去済みの樹冠高差分画像データ」を作成する小面積伐採木樹冠候補領域除去処理部と、前記伐採木樹冠候補領域における長手方向長さを当該伐採木樹冠候補領域における短手方向長さで徐算して得られた値に閾値を設定して、当該設定した閾値を第３閾値とし、前記伐採木樹冠候補領域が前記第３閾値以上の細長い伐採木樹冠候補領域を前記「小面積伐採木樹冠候補領域除去済みの樹冠高差分画像データ」から除去して、「細長伐採木樹冠候補領域除去済みの樹冠高差分画像データ」を作成する細長樹冠候補領域除去処理部と、前記伐採木樹冠候補領域の内側に存在する伐採木候補領域内ノイズを前記「細長伐採木樹冠候補領域除去済みの樹冠高差分画像データ」から除去して、「伐採木樹冠候補領域内ノイズ除去済みの樹冠高差分画像データを」作成する伐採木樹冠候補領域内ノイズ除去処理部と、が含まれていることが好ましい。
【００３５】
ノイズ除去処理部は、上述の［２］に記載のノイズ除去処理ステップに含まれている各処理を行うものであるため、上述の［２］に記載の伐採状況調査用データ作成方法と同様の効果が得られる。
【００３６】
［１１］本発明の伐採状況調査用データ作成装置においては、前記伐採木資源情報取得処理部は、前記伐採木樹冠区分処理部によって作成された前記伐採木樹冠区分画像データに基づいて、少なくとも、個々の伐採木の位置情報、個々の伐採木の樹冠面積及び／又は樹冠直径、個々の伐採木の樹高、個々の伐採木の胸高直径並びに個々の伐採木の材積を取得する処理を行うことが好ましい。
【００３７】
伐採木資源情報取得処理部は、上述の［３］に記載の伐採状況調査用データ作成方法における伐採木資源情報取得処理ステップと同様の処理を行うものであるため、上述の［３］に記載の伐採状況調査用データ作成方法と同様の効果が得ら得る。
【００３８】
［１２］本発明の伐採状況調査用データ作成装置においては、前記伐採木資源情報取得処理部が取得した前記個々の伐採木に関する資源情報に基づいて伐採木資源量の集計処理を行う伐採木資源量の集計処理部をさらに有することが好ましい。
【００３９】
伐採木資源量の集計処理部は、上述の［４］に記載の伐採状況調査用データ作成方法における伐採木資源量の集計処理ステップと同様の処理を行うものであるため、上述の［４］に記載の伐採状況調査用データ作成方法と同様の効果が得ら得る。
【００４０】
［１３］本発明の伐採状況調査用データ作成装置においては、前記伐採木資源量の集計処理部は、前記伐採木の本数、前記伐採木の平均胸高直径、前記伐採木の平均樹高及び前記伐採木の合計材積を集計するとともに、前記本数による伐採率及び前記材積による伐採率を算定する処理を行うことが好ましい。
【００４１】
伐採木資源量の集計処理部は、上述の［５］に記載の伐採状況調査用データ作成方法における伐採木資源量の集計処理ステップと同様の処理を行うものであるため、上述の［５］に記載の伐採状況調査用データ作成方法と同様の効果が得ら得る。
【００４２】
なお、本発明の伐採状況調査用データ作成装置においても、上述の本発明の伐採状況調査用データ作成方法における［６］、［７］及び［８］に記載した各特徴を有することが好ましい。
【図面の簡単な説明】
【００４３】
【図１】実施形態に係る伐採状況調査用データ作成方法を説明するために示すフローチャートである。
【図２】伐採前の樹冠高画像データ及び伐採後の樹冠高画像データの作成手順を説明するために示すフローチャートである。
【図３】調査対象森林域を含む地域を上空から撮影した伐採前の空撮画像及び伐採後の空撮画像を示す図である。
【図４】ディスプレイ上に表示された伐採前の樹冠高画像及び伐採後の樹冠高画像を示す図である。
【図５】ディスプレイ上に表示された樹冠高差分画像を示す図である。
【図６】ディスプレイ上に表示された「伐採木樹冠候補領域抽出済みの樹冠高差分画像」を示す図である。
【図７】ディスプレイ上に表示された「小面積伐採木樹冠候補領域除去済みの樹冠高差分画像」を示す図である。
【図８】ディスプレイ上に表示された細長伐採木樹冠候補領域除去済みの樹冠高差分画像を示す図である。
【図９】ディスプレイ上に表示された「伐採木樹冠候補領域内ノイズ除去済みの樹冠高差分画像」を示す図である。
【図１０】ディスプレイ上に表示された伐採木樹冠区分画像を示す図である。
【図１１】ディスプレイ上に表示された伐採木資源情報の一覧表を示す図である。
【図１２】樹高区分を表すマークを精度検証地（枠線Ａ２内）における個々の伐採木の樹冠に付した伐採木樹高区分画像を示す図である。
【図１３】調査対象森林域（枠線Ａ１内）における伐採木の分布画像を示す図である。
【図１４】ディスプレイ上に表示された伐採木資源量の集計表を示す図である。
【図１５】実施形態に係る伐採状況調査用データ作成方法に対応する伐採状況調査用データ作成装置１を説明するために示す図である。
【発明を実施するための形態】
【００４４】
以下、本発明の実施形態について説明する。
【００４５】
図１は、実施形態に係る伐採状況調査用データ作成方法を説明するために示すフローチャートである。実施形態に係る伐採状況調査用データ作成方法について図１に示すフローチャートを参照して説明する。なお、実施形態に係る伐採状況調査用データ作成の対象となる所定の森林域を調査対象森林域と呼ぶことにする。また、当該調査対象森林域は、例えば、カラマツ、アカマツ、スギ、ヒノキなどの高木となる植栽木による森林域であり、ここでは、カラマツを主体とする森林域であるとする。
【００４６】
実施形態に係る伐採状況調査用データ作成方法は、図１に示すように、調査対象森林域における伐採前の樹冠高画像データを取得する伐採前の樹冠高画像データ取得処理（ステップＳ１０）と、調査対象森林域における伐採後の樹冠高画像データを取得する伐採後の樹冠高画像データ取得処理（ステップＳ２０）と、伐採前の樹冠高画像データと伐採後の樹冠高画像データとの差分を取ることによって、一本以上の伐採木の樹冠からなる樹冠領域における樹冠高が表わされている樹冠高差分画像データを作成する樹冠高画像データ差分処理（ステップＳ３０）と、樹冠高画像データ差分処理によって作成された樹冠高差分画像データに存在するノイズを除去して、ノイズが除去されたノイズ除去済みの樹冠高差分画像データを作成するノイズ除去処理（ステップＳ４０）と、ノイズ除去処理によって作成されたノイズ除去済みの樹冠高差分画像データに基づいて、一本以上の伐採木の樹冠からなる樹冠領域を個々の伐採木の樹冠ごとに区分した伐採木樹冠区分画像データを作成する伐採木樹冠区分処理（ステップＳ５０）と、伐採木樹冠区分処理によって作成された伐採木樹冠区分画像データに基づいて、個々の伐採木に関する資源情報を取得する伐採木資源情報取得処理（ステップＳ６０）と、伐採木資源情報取得処理（ステップＳ６０）によって取得された個々の伐採木に関する資源情報に基づいて伐採木資源量の集計処理を行う伐採木資源量の集計処理（ステップＳ７０）と、を有している。
【００４７】
なお、樹冠高画像データ差分処理（ステップＳ３０）において、伐採前の樹冠高画像データと伐採後の樹冠高画像データとの差分を取る際には、地理情報システム（ＧＩＳ）１００から得られる地理的情報（この場合、都道府県などで整備されている森林の管理台帳などに登録されている森林域の境界データ）を用いて、伐採前の樹冠高画像データと伐採後の樹冠高画像データとの差分を取る。
【００４８】
続いて、上述のステップＳ４０の処理、すなわち、ノイズ除去済みの樹冠高差分画像データを作成するノイズ除去処理について説明する。当該ノイズ除去処理（ステップＳ４０）には、樹冠高画像データ差分処理（ステップＳ３０）によって作成された樹冠高差分画像データから、最大樹冠高を抽出する最大樹冠高抽出処理（ステップＳ４１）と、伐採木の樹冠候補とするための樹冠高の閾値（第１閾値とする。）を最大樹冠高に基づいて設定し、樹冠高差分画像データにおいて当該第１閾値以上の樹冠高を有する領域を「伐採木樹冠候補領域」として抽出して、「伐採木樹冠候補領域抽出済みの樹冠高差分画像データ」を作成する伐採木樹冠候補領域抽出処理（ステップＳ４２）と、伐採木樹冠候補領域の面積に閾値（第２閾値とする。）を設定して、伐採木樹冠候補領域の面積が第２閾値未満となっている小面積の伐採木樹冠候補領域を「伐採木樹冠候補領域抽出済みの樹冠高差分画像データ」から除去して、「小面積伐採木樹冠候補領域除去済みの樹冠高差分画像データ」を作成する小面積伐採木樹冠候補領域除去処理（ステップＳ４３）と、伐採木樹冠候補領域における長手方向長さを当該伐採木樹冠候補領域における短手方向長さで徐算して得られた値に閾値（第３閾値とする。）を設定して、伐採木樹冠候補領域が第３閾値以上の細長い伐採木樹冠候補領域を前記「小面積伐採木樹冠候補領域除去済みの樹冠高差分画像データ」から除去して、「細長伐採木樹冠候補領域除去済みの樹冠高差分画像データ」を作成する細長樹冠候補領域除去処理（ステップＳ４４）と、伐採木樹冠候補領域の内側に存在する伐採木候補領域内ノイズを「細長伐採木樹冠候補領域除去済みの樹冠高差分画像データ」から除去して、「伐採木樹冠候補領域内ノイズ除去済みの樹冠高差分画像データを」作成する伐採木樹冠候補領域内ノイズ除去処理（ステップＳ４５）と、が含まれている。
【００４９】
なお、上述した「伐採木樹冠候補領域」というのは、伐採木の樹冠となり得る樹冠の領域であり、当該伐採木樹冠候補領域は、１本の樹木の樹冠によって形成される単木樹冠の領域だけでなく、複数の樹木による樹冠が繋がることによって形成される樹冠の領域も含むものである。
【００５０】
続いて、図１に示したフローチャートにおける各処理（ステップＳ１０〜ステップＳ７０）について説明する。
【００５１】
図１における伐採前の樹冠高画像データ取得処理（ステップＳ１０）で取得する伐採前の樹冠高画像データ及び伐採後の樹冠高画像データ取得処理（ステップＳ２０）で取得する伐採後の樹冠高画像データは、調査対象森林域を含む地域を上空から撮影して得られた伐採前の空撮画像データに基づいて作成する方法や調査対象森林域を含む地域に上空からレーザー光を照射して得られたレーザー計測データに基づいて作成する方法などを例示できるが、実施形態に係る伐採状況調査用データ作成方法においては、調査対象森林域を含む地域を伐採前及び伐採後にそれぞれ上空から撮影した空撮画像データに基づいて作成するものとする。
【００５２】
図２は、伐採前の樹冠高画像データ及び伐採後の樹冠高画像データの作成手順を説明するために示すフローチャートである。図２（ａ）は伐採前の樹冠高画像データの作成手順を説明するために示すフローチャートであり、図２（ｂ）は伐採後の樹冠高画像データの作成手順を説明するために示すフローチャートである。伐採前の樹冠高画像データの作成手順は、図２（ａ）に示すように、伐採前の調査対象森林域を含む地域を上空から撮影することにより、伐採前の空撮画像データを作成する伐採前の空撮画像データ作成処理（ステップＳ１１）と、当該伐採前の空撮画像データから伐採前の３次元点群データを作成する伐採前の３次元点群データ作成処理（ステップＳ１２）と、伐採前の３次元点群データと地理情報システム（ＧＩＳ）１００から得られる地理的情報とに基づいて伐採前の調査対象森林域画像データを作成する伐採前の調査対象森林域画像データ作成処理（ステップＳ１３）と、伐採前の調査対象森林域画像データに基づいて、当該調査対象森林域に存在する樹木の樹冠高が表わされている伐採前の樹冠高画像データを作成する伐採前の樹冠高画像データ作成処理（ステップＳ１４）とを有する。
【００５３】
伐採後樹冠高画像データの作成手順も、基本的には、図２（ａ）と同様であり、それぞれのステップにおいて伐採後のデータを作成する点が異なるだけである。すなわち、図２（ｂ）に示すように、伐採後の空撮画像データを作成する伐採後の空撮画像データ作成処理（ステップＳ２１）と、伐採後の３次元点群データを作成する伐採後の３次元点群データ作成処理（ステップＳ２２）と、伐採後の調査対象森林域画像データを作成する伐採後の調査対象森林域画像データ作成処理（ステップＳ２３）と、伐採後における調査対象森林域に存在する樹木の樹冠高が表わされている伐採後の樹冠高画像データを作成する伐採後の樹冠高画像データ作成処理（ステップＳ２４）とを有する。
【００５４】
ここで、伐採前及び伐採後の空撮画像データから伐採前及び伐採後の３次元点群データを作成する処理についてさらに説明する。
【００５５】
図３は、調査対象森林域を含む地域を上空から撮影した伐採前の空撮画像及び伐採後の空撮画像を示す図である。図３（ａ）は伐採前の調査対象森林域を含む地域を上空から撮影した伐採前の空撮画像を示す図であり、図３（ｂ）は伐採後の調査対象森林域を含む地域を上空から撮影した伐採後の空撮画像を示す図である。また、図３に示す調査対象森林域はカラマツを主体とする森林域であり、図３（ａ）は夏（７月初旬）に撮影した空撮画像であり、図３（ｂ）は、秋（１１月初旬）に撮影した空撮画像である。
【００５６】
また、図３において、外側の枠線Ａ１で囲まれた領域が調査対象森林域であり、約９．４４ｈａの面積となっている。実施形態に係る伐採状況調査用データ作成方法においては、枠線Ａ１で囲まれている調査対象森林域が伐採状況調査用データ作成の対象となる森林域であるとしている。但し、実施形態に係る伐採状況調査用データ作成方法を、より分かり易くするために、調査対象森林域内（枠線Ａ１で囲まれた領域内）の特定の領域を「精度検証地」として、枠線Ａ２で囲まれた領域を設定し、必要に応じて、当該精度検証地（枠線Ａ２で囲まれた領域）において詳細な説明を行う場合もある。精度検証地（枠線Ａ２で囲まれた領域）は、約０．５３ｈａの面積となっている。
【００５７】
なお、図３はモノクロ画像であるため、図３においては、季節の変化による樹冠の色の変化が読み取れないが、図３の元となるカラー画像上では、季節による樹冠の色の変化が読み取れる。すなわち、図３（ａ）は初夏に撮影した空撮画像であるため、カラマツの樹冠は緑となっており、図３（ｂ）は晩秋に撮影した空撮画像であるため、カラマツの樹冠は黄色からさらに茶色となっている。なお、図３（ｂ）は伐採後の空撮画像であるため、調査対象領域内には、樹木が伐採された領域（黒色で表わされている領域）が散在している。
【００５８】
なお、上空から調査対象森林域を含む地域を撮影するには、航空機、ドローンなどを用いることができるが、実施形態に係る伐採状況調査用データ作成方法においては、ドローンを用いることとする。
【００５９】
このようにして、調査対象森林域を含む地域を上空から撮影した伐採前の空撮画像データ及び伐採後の空撮画像データが作成されると、それぞれの空撮画像に対応する空撮画像データから伐採前及び伐採後の３次元点群データをそれぞれ作成する（ステップＳ１２及びステップＳ２２）。なお、３次元点群データの作成は、調査対象地域を含む地域をドローンに搭載されているカメラで、撮影箇所を例えば８０％程度を重複させ、かつ、ずらしながら撮影し、その画像データ（空撮画像データ）から、公知の３次元形状復元技術であるＳＦＭ(Structure from Motion)によって、歪みのない地図補正されたオルソ画像を作成して、作成したオルソ画像から３次元点群データを作成することができる。
【００６０】
具体的には、伐採前及び伐採後の調査対象森林域を含む地域全体をドローンに搭載されているカメラで、８０％程度を重複させ、かつ、ずらしながら数百枚撮影して、その撮影画像から、ＳＦＭによって、歪みのない地図補正されたオルソ画像を作成する。このようにして作成されたオルソ画像に基づいて、高さが表わされている伐採前及び伐採後の３次元点群データを作成することができる。なお、ＳＦＭについては、下記の公知文献１に記載されている。
【００６１】
公知文献１：Linda G. Shapiro; George C. Stockman (2001). Computer Vision. Prentice Hall.
【００６２】
このようにして作成された伐採前及び伐採後の３次元点群データから図３（ａ）及び図３（ｂ）における枠線Ａ１で囲まれている調査対象林域の画像データを抽出して、伐採前及び伐採後の調査対象森林域画像データを作成する（ステップＳ１３及びステップＳ２３）。すなわち、伐採前及び伐採後の調査対象森林域画像データは、地理情報システム（ＧＩＳ）１００から得られる地理的情報を用いて、伐採前及び伐採後の３次元点群データから調査対象となる森林域（調査対象森林域）の画像データを抽出して、伐採前及び伐採後の調査対象森林域画像データとする。
【００６３】
このようにして作成された伐採前及び伐採後の調査対象森林域画像データに基づいて、当該調査対象森林域に存在する樹木の樹冠高を表す樹冠高画像データ（伐採前及び伐採後の樹冠高画像データ）を作成する（ステップＳ１４及びステップＳ２４）。
【００６４】
伐採前及び伐採後の樹冠高画像データの作成は、伐採前及び伐採後の調査対象森林域画像データ作成処理（ステップＳ１３及びステップＳ２３）によって作成された伐採前及び伐採後の調査対象森林域画像データに基づいて、伐採前及び伐採後の調査対象森林域に存在する樹木の樹冠高（地表からの樹冠の高さ）を表す樹冠高画像データを作成する。
【００６５】
具体的には、伐採前の樹冠高画像データは、伐採前において作成された調査対象森林域画像データに基づいて、メッシュ化されたデジタル表層モデルデータ（樹木などの表層の標高を表すデータ）とデジタル標高モデルデータ（地表の標高を表すデータ）を作成し、各メッシュにおいてデジタル表層モデルデータとデジタル標高モデルデータとの差分を取ることによって、各メッシュにおいて樹冠高が表わされた樹冠高画像データを作成する。
【００６６】
一方、伐採後の樹冠高画像データは、伐採後において作成された調査対象森林域画像データに基づいて、メッシュ化されたデジタル表層モデルデータ（樹木などの表層の標高を表すデータ）とデジタル標高モデルデータ（地表の標高を表すデータ）を作成し、各メッシュにおいてデジタル表層モデルデータとデジタル標高モデルデータとの差分を取ることによって、各メッシュごとに樹冠高が表わされた樹冠高画像データを作成する。
【００６７】
ここで、メッシュサイズは、調査対象森林域画像の地上分解能に基づいて設定することができるが、メッシュサイズを大きくし過ぎると、算定される森林資源情報の精度に課題が生じる場合もあり、また、逆にメッシュサイズを小さくし過ぎると、処理すべきデータ量が多くなる。このため、メッシュサイズは、調査対象森林域の面積、当該調査対象森林域における森林の状況及び算定される森林資源情報の精度などを考慮して最適なサイズに設定することが好ましく、例えば、５０ｃｍ×５０ｃｍ程度のメッシュサイズに設定可能であり、また、さらに小さいメッシュサイズの設定も可能である。
【００６８】
なお、伐採前の樹冠高画像データ作成処理（ステップＳ１４）及び伐採後の樹冠高画像データ作成処理（ステップＳ２４）は、それぞれメッシュごとに行われるため、例えば、メッシュサイズを５０ｃｍ×５０ｃｍとした場合には、個々の樹木の樹冠において、５０ｃｍ×５０ｃｍのメッシュごとに樹冠高が得られることとなる。
【００６９】
このようにして作成された伐採前の樹冠高画像データ及び伐採後の樹冠高画像データを、それぞれコンピューターなどの情報処理装置に保存させておくことによって、伐採前の樹冠高画像データに対応する伐採後の樹冠高画像及び伐採後の樹冠高画像データに対応する伐採後の樹冠高画像を随時ディスプレイ上にそれぞれ表示させることができる。
【００７０】
図４は、ディスプレイ上に表示された伐採前の樹冠高画像及び伐採後の樹冠高画像を示す図である。なお、図４（ａ）は伐採前の樹冠高画像であり、図４（ｂ）は伐採後の樹冠高画像である。図４の枠線Ａ１内及び枠線Ａ２内において、黒色で表わされている部分は、樹木が存在しない部分（地面など樹冠高がゼロの部分）である。なお、図４（ｂ）は伐採後の樹冠高画像であるため、樹木が伐採された部分（黒色で表わされている部分）が図４（ａ）に比べて、より多く散在している。
【００７１】
続いて、前述した図１に示すフローチャートに沿って実施形態に係る伐採状況調査用データ作成処理を行う。すなわち、コンピューターなどの情報処理装置が記憶している伐採前の樹冠高画像データを取得する伐採前樹冠高画像データ取得処理（ステップＳ１０）と、伐採後樹冠高画像データを取得する伐採後の樹冠高画像データ取得処理（ステップＳ２０）をそれぞれ行って、伐採前の樹冠高画像データと伐採後の樹冠高画像データとの差分を取る樹冠高画像データ差分処理（ステップＳ３０）以降の処理を行う。以下、樹冠高画像データ差分処理（ステップＳ３０）以降の処理について詳細に説明する。
【００７２】
樹冠高画像データ差分処理（ステップＳ３０）は、伐採前の樹冠高画像データと伐採後の樹冠高画像データとを、地理情報システム（ＧＩＳ）１００から得られる地理的情報を用いて重ね合わせて画像間の差分処理を行うことによって、伐採前の樹冠高画像データと伐採後の樹冠高画像データとの差分を表す樹冠高差分画像データを作成するものである。当該樹冠高差分画像データは、一本以上の伐採木の樹冠からなる樹冠領域における樹冠高が表わされたものとなっている。ここで、「一本以上の伐採木の樹冠からなる樹冠領域」というのは、一本の伐採木の樹冠からなる樹冠領域の場合もあり、また、複数の伐採木の樹冠が平面的に連なった樹冠領域の場合もあるということを指している。
【００７３】
樹冠高画像データ差分処理（ステップ３０）によって作成された樹冠高差分画像データを、コンピューターなどの情報処理装置に保存させておくことによって、当該樹冠高差分画像データに対応する樹冠高差分画像を随時、ディスプレイ上に表示させることができる。
【００７４】
図５は、ディスプレイ上に表示された樹冠高差分画像を示す図である。図５（ａ）は調査対象領域（枠線Ａ１で囲まれた領域）全体の樹冠高差分画像を示すであり、図５（ｂ）は図５（ａ）における精度検証地（枠線Ａ２で囲まれた領域）及びその周辺を拡大した拡大画像を示す図である。
【００７５】
ここで、精度検証地（枠線Ａ２で囲まれた領域）に注目すると、図５（ｂ）に示すように、伐採前と伐採後とにおいて同じ樹木が残っている領域（変化がない領域）は、黒で表わされ、伐採された領域（変化が大きい領域）は、白で表わされる。なお、黒で表わされている領域（以下、黒領域ともいう。）は、変化がない領域であるため、伐採されずに樹木が残っている領域だけではなく、元々樹木が存在しない領域の場合もある。また、白で表わされている領域（以下、白領域ともいう。）は伐採された樹木（伐採木）の樹冠候補となり得る領域である。なお、当該白領域は、一本の伐採木の樹冠からなる樹冠領域の場合もあり、複数の伐採木の樹冠が平面的に連なった樹冠領域の場合もある。
【００７６】
樹冠高画像データ差分処理（ステップ３０）によって作成された樹冠高差分画像データには、当該樹冠高画像データ差分処理によって生じる種々のノイズが存在する。樹冠高画像データ差分処理によって生じる種々のノイズを、「樹冠高画像データ差分処理によるノイズ」と呼ぶことにする。当該「樹冠高画像データ差分処理によるノイズ」は、後述するノイズ除去処理（ステップＳ４０）によって除去する。
【００７７】
また、図５において、灰色で示されている部分が生じているが、これは、伐採後において伐採された樹木の周辺に下層植生が残っていることによるもの、伐採前と伐採後とにおける空撮の時期の違いによるもの、伐採前と伐採後とにおける空撮する際のカメラの角度の違いなどによるものなどであり、これらも「樹冠高画像データ差分処理によるノイズ」に含まれるものとする。
【００７８】
なお、伐採前の樹冠高画像データと伐採後の樹冠高画像データとの差分を取ることによって得られた樹冠高差分画像において、伐採された樹木の領域（図５（ｂ）における白領域）は、当該伐採された樹木（伐採木）の樹冠高の情報を有している。
【００７９】
このように、樹冠高画像データ差分処理（ステップＳ３０）において、伐採前の樹冠高画像データと伐採後の樹冠高画像データとの差分処理を行うことにより、樹冠高差分画像データが作成される。続いて、当該樹冠高差分画像データに存在する種々のノイズすなわち「樹冠高画像データ差分処理によるノイズ」をノイズ除去処理（ステップＳ４０）によって除去して、「樹冠高画像データ差分処理によるノイズ」が除去された「ノイズ除去済みの樹冠高差分画像データ」を作成する。
【００８０】
ノイズ除去処理（ステップＳ４０）は、「樹冠高画像データ差分処理によるノイズ」が除去された「ノイズ除去済みの樹冠高差分画像データ」を作成するものであり、まずは、最大樹冠高抽出処理（ステップＳ４１）を行う。この最大樹冠高抽出処理（ステップＳ４１）は、樹冠高画像データ差分処理（ステップＳ３０）によって作成された樹冠高差分画像データのうち、最大樹冠高（ｍａｘＨ）を抽出するものである。ここで抽出された最大樹冠高（ｍａｘＨ）は、調査対象森林域内（枠線Ａ１内）に存在する樹木のうちの最も樹高の高い樹木の樹高であるとも言える。
【００８１】
続いて、伐採木樹冠候補領域抽出処理（ステップＳ４２）を行う。伐採木樹冠候補領域抽出処理は、伐採木の樹冠候補とするための樹冠高の閾値（第１閾値とする。）を最大樹冠高に基づいて設定し、樹冠高差分画像データにおいて当該第１閾値以上の樹冠高を有する領域を「伐採木樹冠候補領域」として抽出して、「伐採木樹冠候補領域抽出済みの樹冠高差分画像データ」を作成する処理である。ここで、第１閾値は次のようにして設定している。
【００８２】
すなわち、伐採対象となる樹木を樹高の高い順から上層木、中層木及び下層木としたとき、第１閾値としては、これら上層木、中層木及び下層木の樹木の樹冠の上下方向の高さ（樹冠の下端部から樹冠の頂点までの高さ）がそれぞれ樹高のおよそ１／２であること、中層木及び下層木は、上層木の最大樹冠高（ｍａｘＨ）のおよそ１／２の樹冠高であることがそれぞれ経験値として得られていることから、上層木に加えて中層木及び下層木も伐採木に含まれるような閾値を第１閾値として設定する。
【００８３】
ここでは、第１閾値として、最大樹冠高値（ｍａｘＨ）の１／５を設定し、最大樹冠高（ｍａｘＨ）の１／５以上の樹冠高を有する樹冠高画像データを樹冠高差分画像データから抽出して「伐採木樹冠候補領域抽出済みの樹冠高差分画像データ」とする。これにより、最大樹冠高値（ｍａｘＨ）の１／５未満の薮などの下層植生などはノイズとして除去されることとなる。なお、第１閾値は、最大樹冠高値（ｍａｘＨ）の１／５に限られるものではなく、適宜最適な値を設定することができる。
【００８４】
このような樹冠高候補領域抽出処理を行うことによって、樹冠高差分画像データにおいて最大樹冠高値（ｍａｘＨ）の１／５未満の領域は画素値がゼロとされる。これにより、伐採木樹冠候補領域が抽出された樹冠高画像データ、すなわち、「伐採木樹冠候補領域抽出済みの樹冠高差分画像データ」を作成することができる。このようにして作成された「伐採木樹冠候補領域抽出済みの樹冠高差分画像データ」をコンピューターなどの情報処理装置に保存しておくことにより、当該「伐採木樹冠候補領域抽出済みの樹冠高差分画像データ」に対応する「伐採木樹冠候補領域抽出済みの樹冠高差分画像」を、随時、ディスプレイに表示させることができる。
【００８５】
図６は、ディスプレイ上に表示された「伐採木樹冠候補領域抽出済みの樹冠高差分画像」を示す図である。伐採木樹冠高候補抽出処理によって、樹冠高差分画像データ（図５（ｂ）参照。）から、最大樹冠高値（ｍａｘＨ）の１／５未満の下層植生などはノイズとして画素値がゼロ（黒）とされている。このため、図６において、白領域は、上層木、中層木及び下層木を含む伐採木樹冠候補領域となる。なお、このような伐採木樹冠候補領域抽出処理を行っても、まだ、樹冠高画像データ差分処理によるノイズは残存している。
【００８６】
続いて、「伐採木樹冠候補領域抽出済みの樹冠高差分画像データ」から、伐採木樹冠候補領域の面積が所定面積以下となっている小面積の伐採木樹冠候補領域を除去して、「小面積伐採木樹冠候補領域除去済みの樹冠高差分画像データ」を作成する小面積伐採木樹冠候補領域除去処理（ステップＳ４３）を行う。小面積樹冠領域は、図６においては多数存在しているが、例えば、細かい白領域Ｎ１を例示できる。
【００８７】
小面積伐採木樹冠候補領域除去処理は、具体的には、図６に示した「伐採木樹冠候補領域抽出済みの樹冠高差分画像」における伐採木樹冠候補領域（図６の白領域）のうち、多数の細かい小面積伐採木樹冠候補領域（例えば、図６おける細かい領域Ｎ１）を小面積樹冠ノイズとして除去する処理を行う。
【００８８】
なお、伐採木樹冠候補領域が小面積であるか否かは、調査対象森林域に存在する下層木の樹冠面積未満の値を閾値（第２閾値とする。）として入力して、伐採木樹冠候補領域の面積が第２閾値未満か否かで判定する。具体的には、伐採対象となる下層木の樹冠面積がおよそ１０ｍ２であることが経験値として得られていることから、それよりも小面積（例えば、８ｍ２とする。）を第２閾値として設定する。そして、「伐採木樹冠候補領域抽出済みの樹冠高差分画像データ」から、当該第２閾値未満の面積を有する小面積伐採木樹冠候補領域を除去する。これにより、下層木よりも小面積（例えば、８ｍ２とする。）未満の伐採木樹冠候補領域はノイズとして除去できる。なお、第２閾値は、８ｍ２に限られるものではなく、適宜最適な値を設定することができる。
【００８９】
このように、「伐採木樹冠候補領域抽出済みの樹冠高差分画像データ」から、第２閾値未満の伐採木樹冠候補領域を小面積伐採木樹冠候補領域として除去した樹冠高差分画像データを、「小面積伐採木樹冠候補領域除去済みの樹冠高差分画像データ」とする。
【００９０】
当該「小面積伐採木樹冠候補領域除去済みの樹冠高差分画像データ」をコンピューターなどの情報処理装置に保存しておくことにより、当該「小面積伐採木樹冠候補領域除去済みの樹冠高差分画像データ」に対応する「小面積伐採木樹冠候補領域除去済みの樹冠高差分画像」を、随時、ディスプレイに表示させることができる。
【００９１】
図７は、ディスプレイ上に表示された「小面積伐採木樹冠候補領域除去済みの樹冠高差分画像」を示す図である。図７に示す「小面積伐採木樹冠候補領域除去済みの樹冠高差分画像」は、図６に示した「伐採木樹冠候補領域抽出済みの樹冠高差分画像」に多数存在している小面積樹冠領域（例えば、図６において細かい白領域Ｎ１など）が除去されたものとなっている。
【００９２】
このようにして、小面積樹冠領域除去処理（ステップＳ４３）によって、小面積樹冠領域除去済みの樹冠高差分画像データが作成されると、続いて、伐採木樹冠候補領域における長手方向長さを当該伐採木樹冠候補領域における短手方向長さで徐算して得られた値が閾値（第３閾値とする。）以上の細長い樹冠領域を「小面積樹冠領域除去済みの樹冠高差分画像データ」から除去して、「細長樹冠領域除去済みの樹冠高差分画像データ」を作成する細長樹冠領域除去処理（ステップＳ４４）を行う。
【００９３】
細長樹冠は、図７においては複数存在しているが、例えば、細長い白領域Ｎ２を例示できる。この細長樹冠は、例えば、伐採木ではない樹冠であっても伐採前の空撮画像と伐採後の空撮画像とで撮影角度の違いや撮影位置のずれが生じていたりすることにより、樹冠高画像データ差分処理（ステップＳ３０）を行った際に生じる場合がある。このため、このような細長樹冠を伐採木の樹冠候補から外す処理を行う。
【００９４】
細長樹冠領域除去処理は、具体的には、図７に示した「小面積伐採木樹冠候補領域除去済みの樹冠高差分画像」における伐採木樹冠候補領域（図７の白領域）のうち、細長い伐採木樹冠候補領域（例えば、図７における細長い白領域Ｎ２）を細長樹冠ノイズとして除去する処理を行う。
【００９５】
なお、細長樹冠か否かの判定は、「面積伐採木樹冠候補領域除去済みの樹冠高画像データ」において、伐採木樹冠候補領域における長手方向長さを当該伐採木樹冠候補領域における短手方向長さで徐算して得られた値の大きさによって細長伐採木樹冠候補領域であるか否かを判定する。具体的には、伐採対象となる樹木における樹冠を平面視したときの長手方向の長さ（Ｌｍａｘとする。）を短手方向の長さ（Ｌｍｉｎとする。）で徐算して得られた値の大きさは、４以上にはなりにくいということが経験値として得られていることから、第３閾値をｎとしたとき、例えば「ｎ＝４」を設定する。そして、伐採木樹冠候補領域が第３閾値（ｎ＝４）以上の細長い伐採木樹冠候補領域を「小面積伐採木樹冠候補領域除去済みの樹冠高差分画像データ」から除去する。これにより、極端に細長い伐採木樹冠候補領域はノイズとして除去できる。なお、第３閾値ｎはｎ＝４に限られることなく、適宜最適な値を設定することができる。
【００９６】
このような細長伐採木樹冠候補領域除去処理を行うことによって、「細長伐採木樹冠候補領域除去済みの樹冠高差分画像データ」を作成できる。作成された「細長樹冠候補域除去済みの樹冠高差分画像データ」を、コンピューターなどの情報処理装置に保存しておくことにより、当該細長伐採木樹冠候補領域除去画像データに対応する細長伐採木樹冠候補領域除去済みの樹冠高画像を、随時、ディスプレイ上に表示させることができる。
【００９７】
図８は、ディスプレイ上に表示された細長伐採木樹冠候補領域除去済みの樹冠高差分画像を示す図である。図８に示す細長樹冠除去済みの樹冠高差分画像は、図７に示した小面積伐採木樹冠候補領域除去済みの樹冠高差分画像から細長い樹冠（例えば、図７における細長い白領域Ｎ２）がノイズとして除去されたものとなっている。
【００９８】
このようにして、細長伐採木樹冠候補領域除去処理（ステップＳ４５）によって、細長伐採木樹冠候補領域が除去された「細長伐採木樹冠候補領域除去済みの樹冠高差分画像データ」が作成されると、当該「細長伐採木樹冠候補領域除去済みの樹冠高差分画像データ」から、伐採木樹冠候補領域内（白領域内）に存在するノイズ（伐採木樹冠候補領域内ノイズＮ３とする。）を除去する伐採木樹冠候補領域内ノイズ除去処理を行う（ステップＳ４５）。
【００９９】
伐採木樹冠候補領域内ノイズ除去処理は、具体的には、図８に示した「細長伐採木樹冠候補領域除去済みの樹冠高差分画像」における伐採木樹冠候補領域（図８の白領域）のうち、当該伐採木樹冠候補領域内(白領域内)に存在する画素値がゼロの領域（黒領域）を伐採木樹冠候補領域内ノイズＮ３として除去する処理である。なお、伐採木樹冠候補領域内(白領域内)に存在する画素値がゼロの黒領域、すなわち、伐採木樹冠候補領域内ノイズＮ３というのは、周囲が伐採木樹冠候補領域（白領域）で囲まれて島のように存在するに画素値がゼロの黒領域を指している。
【０１００】
このように、採木樹冠候補領域内ノイズＮ３は、周囲が伐採木樹冠候補領域（白領域）で囲まれて島のように存在するに画素値がゼロの黒領域であるとしている。このため、伐採木樹冠候補領域内（白領域内）に画素値がゼロの黒領域が存在しているかのように見える黒領域（画素値がゼロの領域）が存在していたとしても、当該黒領域が伐採木樹冠候補領域（白領域）の外側に存在する黒領域に繋がりを有している黒領域（例えば、図８における黒領域Ｄ）については、当該黒領域（例えば、図８における黒領域Ｄ）を伐採木樹冠候補領域内ノイズＮ３としない。
【０１０１】
上述の伐採木樹冠候補領域内ノイズＮ３は、上空から調査対象森林域を撮影したときに、樹冠に隙間などによる空間がある場合などにおいて、当該空間を通して地面が撮影されてしまうことによって生じるものである。すなわち、ある樹木について考えた場合、当該樹木の樹冠に空間が存在すると、当該樹木を伐採前に撮影した画像には、樹冠の空間部を通して地面が撮影されることとなり、当該樹木の伐採前の撮影画像と当該樹木の伐採後の撮影画像との差分を取ると、空間部に対応する部分は樹冠高に変化がないため、画素値はゼロ（黒）となる。このような伐採木樹冠領域内ノイズＮ３は、伐採木の樹冠に存在していた隙間に由来するノイズとも言える。当該伐採木樹冠領域内ノイズＮ３は、本来は、当該樹木の樹冠として考えてよい領域である。このため、伐採木樹冠候補領域内（図８の白領域内）に存在する伐採木樹冠候補領域内ノイズＮ３（画素値がゼロの黒領域）は、白で塗りつぶす処理を行う。
【０１０２】
なお、伐採木樹冠候補領域内には、伐採木の樹冠に存在している樹冠の隙間に由来するノイズだけなく、１つの樹木の樹冠と当該１つの樹木に近接している樹木の樹冠との間に元々存在している空間による画素値がゼロの黒領域（例えば、図８において、符号Ｎ４で示す黒領域）が幾つか存在している場合もある。
【０１０３】
伐採木樹冠候補領域内ノイズ除去処理（ステップＳ４４）を行うと、このような樹冠と樹冠との間に元々存在する空間による画素値ゼロの黒領域Ｎ４に対しても白で塗りつぶす処理がなされることとなるが（図９参照。）、当該黒領域Ｎ４については、後述する伐採木樹冠区分処理（ステップＳ５０）で空間として再現できる。
【０１０４】
このような伐採木樹冠候補領域内ノイズ除去処理を行うことによって、「伐採木樹冠候補領域内ノイズ除去済みの樹冠高差分画像データ」を作成できる。作成された「伐採木樹冠候補領域内ノイズ除去済みの樹冠高差分画像データ」を、コンピューターなどの情報処理装置に保存させておくことにより、当該「伐採木樹冠候補領域内ノイズ除去済みの樹冠高差分画像データ」に対応する「伐採木樹冠候補領域内ノイズ除去済みの樹冠高差分画像」を、随時、ディスプレイ上に表示させることができる。
【０１０５】
図９は、ディスプレイ上に表示された「伐採木樹冠候補領域内ノイズ除去済みの樹冠高差分画像」を示す図である。図９に示す伐採木樹冠領域内ノイズ除去画像は、図８に示した細長樹冠領域除去画像（枠線Ａ１内）から、伐採木樹冠候補領域（図８の白領域）内に存在する画素値がゼロの黒領域（伐採木樹冠候補領域内ノイズＮ３及び樹冠と樹冠との間に元々存在する空間による画素値ゼロの黒領域Ｎ４）が伐採木樹冠候補領域内ノイズとして除去されたものとなっている。
【０１０６】
このように、伐採木樹冠候補領域内ノイズ除去処理（ステップＳ４５）が行われた伐採木樹冠候補領域内ノイズ除去済みの樹冠高画像（図９参照。）は、伐採木樹冠高候補領域抽出処理（ステップＳ４２）が行われた「伐採木樹冠高候補領域抽出済みの樹冠高差分画像データ」から、小面積伐採木樹冠候補領域除去処理（ステップＳ４３）を行い、さらに、細長樹冠候補除去処理（ステップＳ４４）が行われ、加えて、伐採木樹冠候補領域内ノイズ除去処理（ステップＳ４５）が行われた樹冠高画差分画像となっている。従って、伐採木樹冠候補領域内ノイズ除去処理（ステップＳ４５）によって作成された「伐採木樹冠候補領域内ノイズ除去済みの樹冠高差分画像データ」は、各種のノイズが除去された伐採木樹冠高画像データとなる。
【０１０７】
以上のようにして、「伐採木樹冠候補領域内ノイズ除去済みの樹冠高差分画像データ」が作成されると、当該伐採木樹冠候補領域内ノイズ除去済みの樹冠高差分画像データを用いて、伐採木樹冠区分処理を行う（ステップＳ５０）。当該伐採木樹冠区分処理（ステップＳ５０）は、「樹冠高画像データ差分処理によるノイズ」が除去された「樹冠高差分画像」（図９参照。）に存在する伐採木樹冠候補領域（白領域）を、個々の樹木の樹冠に区分する処理を行って、伐採木樹冠区分画像データを作成する。
【０１０８】
すなわち、図９に示す「伐採木樹冠候補領域内ノイズ除去済みの樹冠高差分画像」における伐採木樹冠候補領域（白領域）は、複数樹木の樹冠が繋がっていたり、一部が重なり合っていたりしている状態として表わされているため、個々の樹木の樹冠として区分されているものではない。このため、図９に示す「伐採木樹冠候補領域内ノイズ除去済みの樹冠高差分画像」における伐採木樹冠候補領域を個々の樹木（伐採木）の樹冠に区分する処理を行う。
【０１０９】
当該伐採木樹冠区分処理は、具体的には、「伐採木樹冠候補領域内ノイズ除去済みの樹冠高差分画像データ」と、樹冠高が表わされている「樹冠高差分画像データ」とを用いて行う。すなわち、「伐採木樹冠候補領域内ノイズ除去済みの樹冠高差分画像データ」は、図９の「伐採木樹冠候補領域内ノイズ除去済みの樹冠高差分画像」に示すように２値画像データであるため、樹冠高の情報を有していない。このため、伐採木樹冠区分処理を行う際には、図５（ｂ）の「樹冠高差分画像の拡大画像」に示すような樹冠高の情報を有している「樹冠高差分画像データ」を参照して、伐採木樹冠区分処理を行う。
【０１１０】
図９に示す「伐採木樹冠候補領域内ノイズ除去済みの樹冠高差分画像」における伐採木樹冠候補領域から個々の樹木（伐採木）の樹冠に区分する伐採木樹冠区分処理は、下記に示す公知文献２に記載されている単木樹冠抽出のインディヴィジュアル・ツリー・ディテクション法（Individual tree detection method）を用いることができる。この場合、伐採木樹冠区分処理は、単木樹冠抽出のインディヴィジュアル・ツリー・ディテクション法を用い、樹冠の縁部の樹冠高が樹冠の頂点の樹冠高よりも低いことを利用して行う。
【０１１１】
公知文献２：J Hyypp・ M Inkinen，”Detecting and estimating attributes for single trees using laser scanner“,  The photogrammetric journal of Finland 16 (2), 1999年、27-42
【０１１２】
伐採木樹冠区分処理（ステップＳ５０）を行うことによって、個々の伐採木の樹冠が個々の伐採木ごとに区分された伐採木樹冠区分画像データが作成される。当該伐採木樹冠区分画像データを情報処理装置に保存しておくことにより、随時、伐採木樹冠画像データに対応する伐採木樹冠区分画像をディスプレイ上に表示させることができる。
【０１１３】
図１０は、ディスプレイ上に表示された伐採木樹冠区分画像を示す図である。図１０に示す伐採木樹冠区分画像は、個々の樹木の樹冠が領域分割されたものとなっている。図１０において、区分された１つの白抜きの領域（例えば、領域Ｃ１）が１本の樹木における樹冠である。
【０１１４】
このようにして、伐採木樹冠区分処理（ステップＳ５０）において、個々の樹木（伐採木）に対応する伐採木樹冠区分画像データが作成されると、個々の伐採木に関する資源情報（伐採木資源情報を）を取得する伐採木資源情報取得処理を行う（ステップＳ６０）。
【０１１５】
伐採木資源情報取得処理（ステップＳ６０）には、前記伐採木樹冠区分処理ステップによって作成された前記伐採木樹冠区分画像データに基づいて、少なくとも、個々の伐採木の位置情報（ｘ座標及びｙ座標）、個々の伐採木の樹冠面積及び／又は樹冠直径、個々の伐採木の胸高直径（ＤＢＨ）、個々の伐採木の樹高、個々の伐採木の材積を伐採木資源情報として取得する処理が含まれている。そして、これらの伐採木資源情報を、個々の伐採木に付されているナンバー（ラベル番号）、樹種などに対応付けたものをデータベース化してコンピューターなどの情報処理装置に保存する。情報処理装置に保存された伐採木資源情報は、随時、ディスプレイ上に表示させることができる。
【０１１６】
なお、調査対象森林域における伐採前の個々の樹木に関する資源情報として、個々の樹木の位置情報、個々の樹木の樹冠面積及び／又は樹冠直径、個々の樹木の樹高、個々の樹木の胸高直径及び個々の樹木の材積が、個々の樹木ごとに伐採前資源情報として求められている場合には、当該伐採前資源情報を参照して、個々の伐採木の資源情報を取得するようにしてもよく、また、伐採された個々の樹木（個々の伐採木）に関する資源情報を伐採後において計算などによって求めることによって取得するようにしてもよい。
ここでは、伐採された個々の樹木（個々の伐採木）に関する資源情報を伐採後において計算などによって求めることによって取得するものとする。
【０１１７】
伐採された個々の樹木（伐採木）に関する資源情報を伐採後において求める方法について説明する。個々の伐採樹木の樹高は、伐採木樹冠区分処理により区分された個々の伐採木の樹冠に対応する樹冠高画像データの最大値を当該樹木の樹高とすることで求めることができる。
【０１１８】
また、樹冠面積は、個々の伐採木の樹冠領域の画素数を積算することによって求めることができ、樹冠直径も当該樹冠領域の画素数に基づいて求めることができる。
【０１１９】
また、胸高直径は、樹冠面積又は樹冠直径と、樹高とから重回帰式で求めることができる。なお、重回帰式で胸高直径を求める場合、樹種ごとに現地調査において標準木を１０数本程度選び、選んだ標準木の樹冠面積又は樹冠直径、樹高を測定することによって重回帰式の変数を求めることが好ましい。
【０１２０】
ところで、「樹冠直径」は、樹冠を平面視したときの樹冠の水平方向の広がりの大きさを表すものであり、また、「胸高直径」は、樹木の幹の太さを表すものであるが、樹冠及び樹木の幹は実際には真円ではないため、厳密には「直径」とは言えないが、この明細書においては、樹冠の水平方向の広がりの大きさを表すものとして「樹冠直径」と表記し、幹の太さを表すものとして「樹冠直径」と表記するものとする。
【０１２１】
また、材積は、胸高直径と樹高の２変数材積式から求めることができる。なお、胸高直径と樹高とから材積が求められている早見表は公知であり、このような早見表から材積を求めることができる。当該早見表については、下記文献（公知文献３及び公知文献４）に記載されている。
【０１２２】
公知文献３：林野庁計画課、立木幹材積表  東日本編、日本林業調査会、３３４ページ、２００３年
公知文献４：林野庁計画課、立木幹材積表  西日本編、日本林業調査会、３２０ページ、１９７０年
【０１２３】
図１１は、ディスプレイ上に表示された伐採木資源情報の一覧表を示す図である。伐採木資源情報は、図１１においては、１，２，３，・・・といった通し番号、個々の伐採木に付されているナンバー（ラベル番号）、個々の伐採木に対応する樹冠の位置情報（ｘ座標及びｙ座標）、樹種、胸高直径（ＤＢＨ）、樹高、材積が記録されている。なお、ディスプレイ上に表示させる伐採木資源情報としては、これらの他に、必要に応じて、樹冠直径、樹冠面積などをも含めるようにしてもよい。また、１，２，３、・・・といった通し番号により、当該調査対象森林域において、樹冠として認識された樹冠の数（樹冠数）を求めることができ、それにより、当該調査対象森林域における調査対象樹木の本数を求めることができる。図１１に示す伐採木資源情報を一覧表としてディスプレイ上に表示させることによって、調査対象森林域の伐採木の詳細な資源情報を視覚的に把握することができる。
【０１２４】
また、個々の伐採木の樹高を、伐採木樹冠区分画像（図１１参照。）の個々の樹冠ごとに対応させてディスプレイ上に表示させることによって、個々の伐採木の資源概要を視覚的に把握できる。なお、個々の伐採木の樹高というのは、樹高を表す数値そのものであってもよいが、例えば、樹高を複数段階に区分した樹高区分を表するマークなどを個々の伐採木の樹冠に付した伐採木樹高区分画像をディスプレイ上に表示するようにしてもよい。
【０１２５】
図１２は、樹高区分を表すマークを精度検証地（枠線Ａ２内）における個々の伐採木の樹冠に付した伐採木樹高区分画像を示す図である。なお、図１２において、個々の樹冠に示されている丸印（正確には円形ではないが丸印と表記する。）は、個々の伐採木の樹頂点の位置に付されており、また、当該丸印の大きさが、樹高（ｍ）を段階ごとに表している。ここでは、樹高を、１８．６ｍ〜２０．０ｍ、２０．１ｍ〜２５．０ｍ、２５．１ｍ〜３０．０ｍ、３０．１ｍ以上というように、４段階に分けている。
【０１２６】
なお、図１２はモノクロ画像であるため、図１２においては、伐採木の樹高分布が把握しにくいが、図１２の元となるカラー画像上では、伐採された樹木を表す丸印が赤の丸印として表示されているため、伐採木の樹高分布を容易に把握することができる。
【０１２７】
図１３は、調査対象森林域（枠線Ａ１内）における伐採木の分布画像を示す図である。なお、図１３において丸印が付されている樹冠は、調査対象森林域（枠線Ａ１内）において伐採された樹木を示している。図１３に示す伐採木の分布画像をディスプレイに表示させることによって、調査対象森林域のどの位置の樹木が伐採されたかを視覚的に把握することができる。これにより、例えば、伐採木が調査対象森林域において集中や偏りがなく調査対象森林域の全域に分布しているか、伐り残しはないかなどを、容易に判断できる。
【０１２８】
なお、図１３はモノクロ画像であるため、図１３においては、伐採木の分布が把握しにくいが、図１３の元となるカラー画像上では、伐採された樹木を表す丸印が赤の丸印として表示されているため、伐採木の分布を容易に把握することができる。
【０１２９】
図１２に示す樹高区分画像及び図１３に示す伐採木分布画像をディスプレイ上に表示することができることにより、伐採計画を発注した森林所有者や森林管理者は、何処で、どれくらい量が伐採されたか、視覚的に把握することができる。例えば、伐採木が調査対象域の全域に分布しているか、集中や偏りはないかを、容易に判断できる。また、実際に現地に行くときには、これら各情報をプリントアウトしたもの、または、これらを現地で表示可能なモバイル端末を持参し、かつ、ＧＰＳを併用することで、熟練者でなくても容易に伐採された樹木の確認ができる。
【０１３０】
以上のようにして採木資源情報が取得されると、伐採木資源量の集計処理を行う（ステップＳ７０）。伐採木資源量の集計処理は、伐採木資源情報取得処理（ステップＳ６０）によって取得された前記個々の伐採木資源情報（例えば、図１１参照。）に基づいて、伐採木の資源量を伐採前の調査対象森林域内の資源量と比較できるようにそれぞれ集計する。
【０１３１】
伐採木資源量の集計処理ステップには、伐採木の本数、伐採木の平均胸高直径、伐採木の平均樹高、伐採木の合計材積を集計するとともに、本数による伐採率及び材積による伐採率を算定する処理が含まれている。
【０１３２】
具体的には、伐採前の調査対象森林域に存在する樹木の本数と伐採された樹木（伐採木）の本数、伐採前の調査対象森林域に存在する樹木の平均胸高直径（ＤＢＨ：ｃｍ）と伐採された樹木（伐採木）の平均胸高直径（ＤＢＨ：ｃｍ）、伐採前の調査対象森林域に存在する樹木の平均樹高（ｍ）と伐採された樹木（伐採木）の平均樹高（ｍ）、伐採前の調査対象森林域に存在する樹木の合計材積（ｍ３）と伐採された樹木（伐採木）の合計材積（ｍ３）、伐採前の調査対象森林域に存在する樹木の本数に対する比率（％）、伐採前の調査対象森林域に存在する樹木の材積に対する材積の比率（％）をそれぞれ求めて集計し、集計結果をデータベース化してコンピューターなどの情報処理装置に保存する。これにより、集計結果を一覧表として、随時、ディスプレイ上に表示させることができる。
【０１３３】
図１４は、ディスプレイ上に表示された伐採木資源量の集計表を示す図である。図１４５に示す伐採木資源量の集計表によれば、調査対象森林域で伐採された樹木（伐採木）の本数、伐採木の平均胸高直径、伐採木の平均樹高及び伐採木の合計材積と、当該調査対象森林域における伐採前の樹木の本数、平均胸高直径、平均樹高、合計材積とを比較することができる。なお、伐採木資源量の集計表には、図１４示すように、伐採率（本数伐採率及び材積伐採率）も記録されている。
【０１３４】
図１４に示す伐採木資源量の集計表によれば、調査対象森林域で実施された伐採（調査）の状況を容易に把握することができる。また、図１４に示す伐採木資源量の集計表を基にすることで、伐採調査業務での補助金支出の算定根拠となる本数伐採率及び材積伐採率が適正伐採率（例えば、本数伐採率３０％未満、材積伐採率３５％未満）となっているか否かを容易に判定できる。なお、図１４に示す伐採木資源量の集計表によれば、本数伐採率は２５％であり、材積伐採率は２４％であるため、本数伐採率３０％未満、材積伐採率３５％未満を満たしているため、適正であると判定できる。
【０１３５】
以上説明したように、実施形態に係る伐採状況調査用データ作成方法によれば、伐採前の樹冠高画像データと伐採後の樹冠高画像データとの差分を取る樹冠高画像データ差分処理を行うことによって、伐採木の樹冠領域が表わされている樹冠高差分画像データを作成し、樹冠高画像データ差分処理によるノイズを、ノイズ除去処理（ステップＳ４０）によって、最大樹冠高抽出処理（ステップＳ４１）、伐採木樹冠候補領域抽出処理（ステップＳ４２）、小面積伐採木樹冠候補領域除去処理（ステップＳ４３）、細長樹冠候補領域除去処理（ステップＳ４４）及び伐採木樹冠候補領域内ノイズ除去処理（ステップＳ４５）を行うことにより、ノイズが除去されたノイズ除去済みの樹冠高差分画像データを作成するようにしている。
【０１３６】
そして、ノイズ除去済みの樹冠高差分画像データを用いて、伐採木の樹冠領域を個々の伐採木の樹冠ごとに区分した伐採木樹冠区分画像データを作成している。これによって、個々の伐採木を高精度に再現でき、個々の伐採木を高精度に再現した伐採木樹冠区分画像データに基づいて、伐採木資源情報を取得している。これにより、伐採木資源情報を高精度に得ることができる。また、高精度に得られた伐採木資源情報に基づいて伐採木資源量の集計処理を行うようにしているため、当該伐採木資源量の集計処理によって得られた伐採木資源量の集計結果（例えば、図１４参照。）は、信頼性の高い伐採木資源量の集計結果となる。
【０１３７】
なお、伐採木資源情報取得処理が取得した伐採木資源情報、伐採木資源量の集計処理によって得られた伐採木資源量の集計結果、さらには、図１２に示した伐採木の樹高区分画像及び図１３に示した伐採木分布画像などは、所定の森林域において樹木の伐採を行った際の伐採状況を調査するための伐採状況調査用データとして使用できる。
【０１３８】
以上、実施形態に係る伐採状況調査用データ作成方法について説明したが、続いて、実施形態に係る伐採状況調査用データ作成方法に対応する伐採状況調査用データ作成装置について説明する。
【０１３９】
図１５は、実施形態に係る伐採状況調査用データ作成方法に対応する伐採状況調査用データ作成装置１を説明するために示す図である。伐採状況調査用データ作成装置１は、図１５に示すように、図１におけるステップＳ１０において取得すべき伐採前の樹冠高画像データを記憶している記憶部１０と、図１におけるステップＳ２０において取得すべき伐採後の樹冠高画像データを記憶している記憶部２０と、図１におけるステップＳ３０の処理を行う樹冠高画像データ差分処理部３０と、図１におけるステップＳ４０の処理を行うノイズ除去処理部４０と、図１におけるステップＳ５０の処理を行う伐採木樹冠区分処理部５０と、図１におけるステップＳ６０の処理を行う伐採木資源情報取得処理部６０と、図１におけるステップＳ７０の処理を行う伐採木資源量の集計処理部７０とを有する。
【０１４０】
図１５におけるノイズ除去処理部４０には、図１におけるステップＳ４１の処理を行う最大樹冠高抽出部４１と、図１におけるステップＳ４２の処理を行う伐採木樹冠候補領域抽出処理部４２と、図１におけるステップＳ４３の処理を行う小面積伐採木樹冠候補領域除去処理部４３と、図１におけるステップＳ４４の処理を行う細長伐採木樹冠候補領域除去処理部４４と、図１におけるステップＳ４５の処理を行う伐採木樹冠候補領域内ノイズ除去処理部４５とが含まれている。
【０１４１】
このように構成されている伐採状況調査用データ作成装置１を構成する各構成要素が、図１に示すフローチャートに示す手順に沿って処理を行うことにより、実施形態に係る伐採状況調査用データ作成方法と同様に、伐採木資源情報、伐採木資源量の集計結果、さらには、図１２に示した伐採木の樹高区分画像及び図１３に示した伐採木分布画像などを得ることができ、これらは、所定の森林域において樹木の伐採を行った際の伐採状況を調査するための伐採状況調査用データとして使用できる。
【０１４２】
なお、図１５に示す伐採状況調査用データ作成装置１に含まれる上記各構成要素（図１５参照。）が有する機能がコンピューターのプログラムとしてインストールされており、上記各構成要素に所定のデータを与えることによって、それぞれの構成要素が持つ機能がコンピューターのソフトウエア上で実行される。
【０１４３】
なお、本発明は上述の実施形態に限られるものではなく、本発明の要旨を逸脱しない範囲で種々変形実施可能となるものである。たとえば、下記に示すような変形実施も可能である。
【０１４４】
（１）調査対象森林域に存在する樹木としては、例えば、カラマツ、アカマツ、スギ、ヒノキなどの針葉樹の植栽木を例示し、特に、上記実施形態においては、針葉樹として、カラマツを例にとって説明したが、針葉樹に限られるものではなく、例えば、ブナやナラなどが所定の広さの範囲にまとまって群生している林が存在する場合においては、当該ブナやナラについても同様に実施できる。
【０１４５】
（２）上記実施形態においては、ドローンを用いて空撮画像データを得るようにしたが、ドローンに限られるものではなく、例えば、航空機を使用して空撮画像データを得るようにしてもよい。
【０１４６】
（３）上記実施形態においては、樹冠高画像データを得るための３次元点群データは、空撮画像データからオルソ画像を作成して、作成したオルソ画像から作成するようにしたが、上空からレーザー光を照射して得られたレーザー計測データに基づいて３次元点群データを得るようにしてもよい。
【０１４７】
（４）上記実施形態においては、伐採木樹冠区分処理は、インディヴィジュアル・ツリー・ディテクション法を用いる場合を例示したが、他の方法を用いることもできる。例えば、領域分割法の１つであるWatershedアルゴリズムを用いることができる。
【０１４８】
（５）上記実施形態においては、ステップＳ６０が行う伐採木資源情報取得処理としては、伐採された個々の樹木（個々の伐採木）に関する資源情報を伐採後において計算などによって求めることによって取得する場合を例示したが、前述したように、調査対象森林域における伐採前の個々の樹木に関する資源情報として、個々の樹木の位置情報、個々の樹木の樹冠面積及び／又は樹冠直径、個々の樹木の樹高、個々の樹木の胸高直径及び個々の樹木の材積が、個々の樹木ごとの伐採前資源情報として求められている場合には、当該伐採前資源情報を参照して、個々の伐採木の資源情報を取得するようにしてもよい。この場合、ステップＳ５０の伐採木樹冠区分処理によって作成された伐採木樹冠区分画像データに基づいて、伐採された個々の樹木の位置情報を得て、当該位置情報に基づいて、伐採された個々伐採木の資源情報を伐採前森林資源情報から取得する。
【符号の説明】
【０１４９】
１・・・伐採状況調査用データ作成装置、１０・・・伐採前の樹冠高画像データ記憶部、２０・・・伐採後の樹冠高画像データ記憶部、３０・・・樹冠高画像データ差分処理部、４０・・・ノイズ除去処理部、４１・・・最大樹冠高抽出処理部、４２・・・伐採木樹冠候補領域抽出処理部、４３・・小面積伐採木樹冠候補領域除去処理部、４４・・・細長樹冠候補領域除去処理部、４５・・・伐採木樹冠候補領域内ノイズ除去処理部、５０・・・伐採木樹冠区分処理部、６０・・・伐採木資源情報取得処理部、７０・・・伐採木資源量の集計処理部、Ｓ１０・・・伐採前の樹冠高画像データ取得処理、Ｓ２０・・・伐採後の樹冠高画像データ取得処理、Ｓ３０・・・樹冠高画像データ差分処理、Ｓ４０・・・ノイズ除去処理、Ｓ４１・・・最大樹冠高抽出処理、Ｓ４２・・・伐採木樹冠候補領域抽出処理、Ｓ４３・・小面積伐採木樹冠候補領域除去処理、Ｓ４４・・・細長樹冠候補領域除去処理、Ｓ４５・・・伐採木樹冠候補領域内ノイズ除去処理、Ｓ５０・・・伐採木樹冠区分処理、６０・・・伐採木資源情報取得処理、Ｓ７０・・・伐採木資源量の集計処理
【図１】
2020112887.tif 000003
【図２】
2020112887.tif 000004
【図３】
2020112887.tif 000005
【図４】
2020112887.tif 000006
【図５】
2020112887.tif 000007
【図６】
2020112887.tif 000008
【図７】
2020112887.tif 000009
【図８】
2020112887.tif 000010
【図９】
2020112887.tif 000011
【図１０】
2020112887.tif 000012
【図１１】
2020112887.tif 000013
【図１２】
2020112887.tif 000014
【図１３】
2020112887.tif 000015
【図１４】
2020112887.tif 000016
【図１５】
2020112887.tif 000017